(57)【要約】【課題】記録した放送番組の再生状態が悪い場合に、再生機器に原因があるのか、記録された放送番組の受信状態に原因があるのかを判別可能にする。【解決手段】記録再生装置１００は、受信部１０１において受信した放送番組の受信状態を検出部１０２によって検出する。受信した放送番組と、検出された受信状態とを記録部１０４に記録する。再生時には、読み出し部１０５によって記録部１０４から放送番組と、対応する受信状態とを読み出し、報知部１０６では、受信状態を報知し、再生部１０７では、放送番組を再生する。【選択図】        図１
2007074572.tif 000002
【特許請求の範囲】
【請求項１】
放送波を介して放送番組を受信する受信手段と、
前記受信手段によって受信された前記放送番組の受信状態を検出する検出手段と、
前記受信手段によって受信された前記放送番組と、前記検出手段によって検出された前記放送番組の受信状態とを対応させて記録する記録手段と、
前記記録手段によって記録された前記放送番組を再生する際に、当該記録手段に記録されている当該放送番組の受信状態を報知する報知手段と、
を備えることを特徴とする記録再生装置。
【請求項２】
前記検出手段によって検出された前記放送番組の受信状態が、あらかじめ複数段階の品質値のうちのいずれかを判別する判別手段を備え、
前記記録手段は、前記放送番組と、前記判別手段において判別された前記放送番組の受信状態の品質値とを対応させて記録し、
前記報知手段は、前記放送番組を再生する際に、前記記録手段に記録されている当該放送番組の受信状態の品質値を報知することを特徴とする請求項１に記載の記録再生装置。
【請求項３】
前記記録手段は、前記放送番組の受信状態が所定の基準を満たしている期間のみ、当該放送番組を記録することを特徴とする請求項１または２に記載の記録再生装置。
【請求項４】
前記記録手段に記録された前記放送番組と、当該放送番組の受信状態もしくは品質値とを同時に読み出す読み出し手段と、
前記読み出し手段によって読み出された前記放送番組を再生する再生手段と、
を備えることを特徴とする請求項１〜３のいずれか一つに記載の記録再生装置。
【請求項５】
前記再生手段は、前記放送番組の受信状態が所定の基準を満たしている期間のみ、当該放送番組を再生することを特徴とする請求項４に記載の記録再生装置。
【請求項６】
放送番組と、当該放送番組の受信状態とが対応して記録された記録手段から前記放送番組と、当該放送番組の受信状態もしくは品質値とを同時に読み出す読み出し手段と、
前記読み出し手段によって読み出された前記放送番組の受信状態を報知する報知手段と、
前記読み出し手段によって読み出された前記放送番組を再生する再生手段と、
を備えることを特徴とする再生装置。
【請求項７】
放送波を介して放送番組を受信する受信工程と、
前記受信工程によって受信された前記放送番組の受信状態を検出する検出工程と、
前記受信工程によって受信された前記放送番組と、前記検出工程によって検出された前記放送番組の受信状態とを対応させて記録する記録工程と、
前記記録工程によって記録された前記放送番組を再生する際に、当該記録手段に記録された当該放送番組の受信状態を報知する報知工程と、
を含むことを特徴とする記録再生方法。
【請求項８】
放送番組と、当該放送番組の受信状態とが対応して記録された記録手段から前記放送番組と、当該放送番組の受信状態とを同時に読み出す読み出し工程と、
前記読み出し工程によって読み出された前記放送番組の受信状態を報知する報知工程と、
前記読み出し工程によって読み出された前記放送番組を再生する再生工程と、
を含むことを特徴とする再生方法。
【請求項９】
請求項７または８に記載の方法をコンピュータに実行させることを特徴とするプログラム。
【請求項１０】
請求項９に記載のプログラムを記録したことを特徴とするコンピュータに読み取り可能な記録媒体。
【発明の詳細な説明】
【技術分野】
【０００１】
この発明は、受信信号とともにこの受信信号の品質を記録する記録再生装置、再生装置、記録再生方法、再生方法、プログラムおよび記録媒体に関する。ただし、この発明の利用は、前述の記録再生装置、再生装置、記録再生方法、再生方法、プログラムおよび記録媒体に限るものではない。
【背景技術】
【０００２】
従来、放送受信時の受信状態を検出するものとして、デジタル放送の受信状態を検出し、画面フリーズ等が生じる前に受信状態が悪くなってきたときに、ユーザに対して装置の故障ではなく受信状態が悪いこと自体を知らせる記録再生装置がある（たとえば、下記特許文献１参照。）。
【０００３】
【特許文献１】特開２００２−６４７５９号公報
【発明の開示】
【発明が解決しようとする課題】
【０００４】
しかしながら、上記従来の記録再生装置は、放送を受信している際の受信状態を知らせるだけの構成であるため、たとえば、放送された番組を録画（録音を含む）し、後に再生する構成の場合、この再生時の再生状態が悪いときにユーザはその原因を判断することができなかった。すなわち、この悪い再生状態が、録画時の受信状態に起因するのか、あるいは再生時の機器の故障等の発生であるかを判断できない、という問題が一例として挙げられる。
【課題を解決するための手段】
【０００５】
上述した課題を解決し、目的を達成するため、請求項１の発明にかかる記録再生装置は、放送波を介して放送番組を受信する受信手段と、前記受信手段によって受信された前記放送番組の受信状態を検出する検出手段と、前記受信手段によって受信された前記放送番組と、前記検出手段によって検出された前記放送番組の受信状態とを対応させて記録する記録手段と、前記記録手段によって記録された前記放送番組を再生する際に、当該記録手段に記録されている当該放送番組の受信状態を報知する報知手段と、を備えることを特徴とする。
【０００６】
また、請求項６の発明にかかる再生装置は、放送番組と、当該放送番組の受信状態とが対応して記録された記録手段から前記放送番組と、当該放送番組の受信状態もしくは品質値とを同時に読み出す読み出し手段と、前記読み出し手段によって読み出された前記放送番組の受信状態を報知する報知手段と、前記読み出し手段によって読み出された前記放送番組を再生する再生手段と、を備えることを特徴とする。
【０００７】
また、請求項７の発明にかかる記録再生方法は、放送波を介して放送番組を受信する受信工程と、前記受信工程によって受信された前記放送番組の受信状態を検出する検出工程と、前記受信工程によって受信された前記放送番組と、前記検出工程によって検出された前記放送番組の受信状態とを対応させて記録する記録工程と、前記記録工程によって記録された前記放送番組を再生する際に、当該記録手段に記録された当該放送番組の受信状態を報知する報知工程と、を含むことを特徴とする。
【０００８】
また、請求項８の発明にかかる再生方法は、放送番組と、当該放送番組の受信状態とが対応して記録された記録手段から前記放送番組と、当該放送番組の受信状態とを同時に読み出す読み出し工程と、前記読み出し工程によって読み出された前記放送番組の受信状態を報知する報知工程と、前記読み出し工程によって読み出された前記放送番組を再生する再生工程と、を含むことを特徴とする。
【０００９】
また、請求項９の発明にかかるプログラムは、請求項７または８に記載の方法をコンピュータに実行させることを特徴とする。
【００１０】
また、請求項１０の発明にかかる記録媒体は、請求項９に記載のプログラムをコンピュータによる読み取り可能に記録したことを特徴とする。
【発明を実施するための最良の形態】
【００１１】
以下に添付図面を参照して、この発明にかかる記録再生装置、再生装置、記録再生方法、再生方法、プログラムおよび記録媒体の好適な実施の形態を詳細に説明する。
【００１２】
（記録再生装置の機能的構成）
はじめに、この発明の本実施の形態の記録再生装置の機能的構成について説明する。図１は、この発明の本実施の形態の記録再生装置の機能的構成を示すブロック図である。記録再生装置１００は、受信部１０１と、検出部１０２と、判別部１０３と、記録部１０４と、読み出し部１０５と、報知部１０６と、再生部１０７とから構成される。
【００１３】
記録再生装置１００において、受信部１０１は、放送波を介して放送番組を受信し、受信した放送番組を検出部１０２と、記録部１０４とへ出力する。このとき放送波のデータ形式はアナログ、デジタルを問わない。また、受信する放送番組は、ラジオの放送番組でもよいし、テレビの放送番組でもよい。
【００１４】
検出部１０２は、受信部１０１から入力された放送番組の受信状態の検出をおこなう。受信状態の検出とは、放送番組を構成する受信信号からＢＥＲ（Ｂｉｔ  Ｅｒｒｏｒ  Ｒａｔｅ；ビット誤り率）、信号強度など所定の値を検出する。このときどの値を検出するかは自由に設定することができ、検出部１０２において検出された放送番組の受信状態は、判別部１０３と、記録部１０４とへ出力される。
【００１５】
判別部１０３は、検出部１０２から入力された放送番組の受信状態があらかじめ設定した複数段階の品質値のいずれに該当するかを判別する。ここで、複数段階の品質値の設定例を挙げると、受信状態に基づいて、Ａ（記録可能）と、Ｂ（記録不可能）とに判別する方式や、記録可能と判別する際にさらに放送番組の記録品質を細かく分けて、Ａ−１（記録品質に問題なし）、Ａ−２（記録した場合、放送番組を再生した際に、多少ノイズが入る）、Ｂ−１（記録した場合、放送番組に正しく再生されない箇所がある）、Ｂ−２（受信状態が悪く、記録できない）など細かく判別する方式を用いてもよい。判別部１０３において判別された品質値は、記録部１０４へ出力される。
【００１６】
記録部１０４は、受信部１０１から入力された放送番組と、検出部１０２から入力された放送番組の受信状態と、判別部１０３から入力された放送番組の受信状態の品質値とが記録される。このとき、放送番組と、放送番組の受信状態および品質値とは対応して記録される。また、記録の際の対応関係を放送番組単位にするか、単位時間ごとにするか、もしくはクロック単位にするかは、ユーザが設定することができる。記録部１０４に記録された内容は、記録された放送番組を再生する際に読み出し部１０５によって読み出される。
【００１７】
読み出し部１０５は、記録した放送番組を再生する際に、記録部１０４に記録された放送番組を読み出し、読み出した放送番組の受信状態や品質値も同時に読み出す。読み出し部１０５によって読み出された放送番組は、再生部１０７へ出力され、放送番組の受信状態や品質値は、報知部１０６へ出力される。
【００１８】
報知部１０６は、読み出し部１０５から入力された放送番組の受信状態や品質値をユーザに対して報知する。報知の方法としては、放送番組の受信状態や品質値をそのまま表示してもよいし、対応した記号の表示でもよい。さらに、表示に限らず音声として出力してもよい。
【００１９】
なお、本実施の形態において報知部１０６の機能は、放送番組の受信状態や品質値のユーザへの報知にとどまっているが、他の実施の形態として、報知部１０６に、報知を受けたユーザからの入力を受け付けて記録再生装置１００の処理に反映させるような構成でもよい。具体的には、報知された受信状態が悪い場合にユーザから再生を中止するまたは、記録を削除する旨の指示が入力されると、報知部１０６は、指示内容を記録部１０４や再生部１０７へ出力し、記録部１０４や再生部１０７は入力された指示内容を実行する。
【００２０】
さらに、本実施の形態では記録した放送番組を再生する際に報知部１０６によって放送番組の受信状態や品質値を報知しているが、検出部１０２または判別部１０３からの出力を報知部１０６に入力するように構成してもよい。このような構成にすることで、記録部１０４において放送番組を記録する前にユーザへ放送番組の受信状態またはその品質値を報知することができる。したがって、ユーザが受信状態または品質値に応じて記録するか否かを決定することができる。
【００２１】
再生部１０７は、読み出し部１０５から入力された放送番組を再生する。したがって、具体的な構成例は記録する放送番組に応じて異なる。たとえばラジオの放送番組のみを記録再生する場合は、スピーカなど音声再生機能を有した機器を備えればよいが、テレビの放送番組を記録する場合は、ディスプレイなどの画像再生機能を有した機器も備える必要がある。さらにデジタル放送波など、情報が多重化された放送番組を記録した場合は、ラジオの放送番組であっても表示を目的とした付加情報が含まれていることがある。したがって、記録した放送番組を正確に再生するためには、表示機能も含んだ機器を備えなければならないが、付加情報を表示させる必要がなければ音声再生機能のみでもよい。
【００２２】
なお、読み出し部１０５と、報知部１０６と、再生部１０７とは単独で再生装置１０８として機能する。再生装置１０８としての構成の場合、読み出し部１０５は、記録部１０４と同じように放送番組と、放送番組の受信状態とが対応して記録された記録機器に接続して、記録再生装置１００における放送番組の再生と同様の機能を実現する。たとえば、移動体に記録再生装置１００を搭載し、放送波を介して放送番組を受信し、記録した後、記録再生装置１００から記録部１０４のみを取り外し、再生装置１０８へ接続することで、好きな場所で記録した放送番組を再生することができる。
【００２３】
（記録再生装置の処理内容）
つぎに、記録再生装置の処理内容について説明する。ここでは記録再生装置１００が、放送波を介して受信した放送番組を記録し、記録された放送番組を再生するまでを一連の処理として説明する。図２は、この発明の本実施の形態の記録再生装置の処理内容を示すフローチャートである。図２のフローチャートにおいて、まず、受信部１０１において放送波を介して放送番組を受信する（ステップＳ２０１）。続いて、検出部１０２において、受信した放送番組の受信状態を検出し（ステップＳ２０２）、判別部１０３において、検出された受信状態を用いて放送番組の受信状態の品質値を判別する（ステップＳ２０３）。
【００２４】
その後、記録部１０４において、放送番組と放送番組の受信状態および品質値とを対応させて記録する（ステップＳ２０４）。以上までが、受信した放送番組を記録部１０４へ記録するまでの処理である。続いて、記録した放送番組の再生にかかる処理の説明に移る。
【００２５】
まず、読み出し部１０５において、記録部１０４に記録された放送番組と放送番組の受信状態および品質値とを読み出す（ステップＳ２０５）。最後に、報知部１０６において、読み出し部１０５が読み出した放送番組の受信状態もしくは品質値を報知する（ステップＳ２０６）とともに、再生部１０７において読み出した放送番組を再生し（ステップＳ２０７）、一連の処理を終了する。なお、放送番組の受信状態もしくは品質値の報知は、放送番組の再生と同時であってもよいし、再生をおこなうために放送番組を読み出した時点で、同時に読み出した受信状態もしくは品質値を再生前に報知することで、ユーザは、読み出した放送番組を再生するか否かを判断することができる。
【００２６】
以上説明したように、この発明にかかる本実施の形態によれば、放送波を介して受信した放送番組の記録と、放送番組の受信状態とを同時に記録することができる。したがって、記録した放送番組の再生画像や再生音声の状態が悪い場合に、報知された受信状態や品質値を参照することで、記録した放送番組に原因があるのか、ディスプレイやスピーカに原因があるのかを容易に判断することができる。
【００２７】
また、他の実施の形態として、記録部１０４において、検出部１０２から入力された放送番組の受信状態や、判別部１０３から入力された受信状態の品質値が所定の基準を満たしている期間にのみ受信部１０１から入力された放送番組を記録するような機能を備えてもよい。
【００２８】
同様に、再生部１０７においても、読み出し部１０５から、放送番組だけでなく放送番組の受信状態や品質値が同時に入力されるような構成にすることで、読み出し部１０５から、読み出した放送番組のうち、受信状態もしくは品質値が所定の基準を満たしている期間にのみを再生するような機能を備えてもよい。
【００２９】
以上説明したような他の実施の形態の場合、記録再生装置１００によって放送番組を記録しても、再生の際に画像や音声の品質的に視聴に耐えない状態であれば、放送番組を記録しない。もしくは、記録された放送番組の画像や音声の品質的に視聴に耐えない状態であれば、放送番組を再生しない。したがって、ユーザが放送番組の受信状態から記録の有無を判断する、または、記録した放送番組を再生して生成の有無を判断するというような手間を省くことができる。
【実施例】
【００３０】
以下に、この発明の実施例について説明する。本実施例では、本発明にかかる記録再生装置をたとえば、車両などの移動体に搭載され、放送波を受信することで、ユーザに情報を提供するＡＶ（Ａｕｄｉｏ  Ｖｉｓｕａｌ）装置として適用した場合について説明する。
【００３１】
（ＡＶ装置のハードウェア構成）
はじめに、この発明の本実施例におけるＡＶ装置のハードウェア構成について説明する。図３は、この発明の本実施例におけるＡＶ装置のハードウェア構成を示すブロック図である。ＡＶ装置３００は、アンテナ部３０１と、フロントエンド部３０２と、ＡＤ（Ａｎａｌｏｇ  ｔｏ  Ｄｉｇｉｔａｌ）部３０３と、ＦＥＣ（Ｆｏｒｗａｒｄ  Ｅｒｒｏｒ  Ｃｏｒｒｅｃｔｉｏｎ）部３０４と、エンコーダ部３０５と、受信状態判別部３０６と、記録システムコントロール部３０７と、記録部３０８と、ＧＵＩ（Ｇｒａｐｈｉｃａｌ  Ｕｓｅｒ  Ｉｎｔｅｒｆａｃｅ）部３０９とから構成される。
【００３２】
アンテナ部３０１は、放送波を介してＡＶ装置３００へ向けて配信された放送番組を受信し、受信した放送番組をフロントエンド部３０２へ出力する。ＡＶ装置３００へ向けて配信される放送番組のデータ形式は、アナログ、デジタルを問わない。また、一部のアナログデータ形式の放送波や大半のデジタルデータ形式の放送波の場合は、音声情報や画像情報に加え、放送番組に関するテキストデータなど付加情報も含まれている。
【００３３】
フロントエンド部３０２は、受信した放送番組を記録再生するための前段階の処理をおこなう。本実施例では、フロントエンド部３０２は、アンテナ部３０１から入力された放送番組の信号に対して周波数変換を施し、出力を一定レベルに制御したのち、ＡＤ部３０３へ出力する。
【００３４】
ＡＤ部３０３は、フロントエンド部３０２から入力された放送番組の信号状態をアナログ信号からデジタル信号に変換しＦＥＣ部３０４と、受信状態判別部３０６とへ出力する。
【００３５】
ＦＥＣ部３０４は、ＦＥＣによって、ＡＤ部３０３から入力されたデジタル信号化された放送番組を構成する信号の誤り訂正をおこない、誤り訂正後の放送番組をエンコーダ部３０５へ出力する。ＦＥＣは、データの廃棄や誤りを検出したときに、そのデータを再送することなく、転送すべきデータ（ここでは放送番組）に付加した冗長データを用いて、復元する通信方式である。また、ＦＥＣ部３０４において受信信号の誤り訂正をおこなう際に受信信号のエラー率のカウントをおこない、カウント結果をＢＥＲとして受信状態判別部３０６へ出力する。
【００３６】
また、ＦＥＣ部３０４に替わり、他の方法を用いて放送番組を構成する信号の復元と受信状態の検出を行ってもよい。放送波がアナログかデジタルかに応じて、たとえば、ＣＮＲ（Ｃａｒｒｉｅｒ  ｔｏ  Ｎｏｉｓｅ  Ｒａｔｉｏ；搬送波対雑音比）、ＳＮＲ（Ｓｉｇｎａｌ  ｔｏ  Ｎｏｉｓｅ  Ｒａｔｉｏ；信号対雑音比）、電界強度、ノイズレベルなどから適宜選択した方法を用いてもよい。
【００３７】
エンコーダ部３０５は、ＦＥＣ部３０４から入力された放送番組を不図示の出力部に合わせて符号化し、符号化された放送番組として出力部へ出力する。出力部は、ＡＶ装置３００の構成に含まれている必要はなく、車両などの移動体に搭載されている場合は、同じ移動体に搭載されているナビゲーション装置などの出力部（ディスプレイ、スピーカ）に接続させればよい。
【００３８】
受信状態判別部３０６は、ＡＤ部３０３から入力された放送番組の信号レベルと、ＦＥＣ部３０４から入力されたＢＥＲとに基づいて、信号レベル、ＢＥＲなどを基準値と比較し放送番組の受信状態の品質を判別する。判別結果は、品質値として記録システムコントロール部３０７へ出力される。
【００３９】
記録システムコントロール部３０７には、エンコーダ部３０５から符号化された放送番組が入力され、受信状態判別部３０６から放送番組のエンコーダ部３０５から入力された放送番組と対応した品質値が入力され、放送番組と、放送番組に対応した品質値とを記録部３０８へ出力する。また、記録システムコントロール部３０７は、品質値をＧＵＩ部３０９へ出力し、ＧＵＩ部３０９からも、報知した内容に応じてユーザがＧＵＩ部３０９に入力したＡＶ装置３００への制御指示が入力される。
【００４０】
記録部３０８は、記録システムコントロール部３０７から入力された、放送番組と、放送番組に対応した品質値とを記録する。また、記録システムコントロール部３０７からの指示に応じて、記録された放送番組と放送番組に対応した品質値の読み出し、または、削除をおこなう。
【００４１】
ＧＵＩ部３０９は、記録システムコントロール部３０７から入力された放送番組に対応した品質値を表示することで、ユーザに報知する。ＧＵＩ部３０９における受信状態の報知は、記録した放送番組の再生時に限られず、放送番組の受信と同時におこなうことができる。さらに、ＧＵＩ部３０９は、報知内容に応じてユーザから放送番組の再生を停止する、または記録された放送番組を削除するなどのＡＶ装置３００への制御指示の入力も受け付ける。
【００４２】
（ＡＶ装置における記録再生処理の手順）
つぎに、上述した構成からなるＡＶ装置３００を用いて放送番組を記録再生するための具体的な処理手順を説明する。
【００４３】
図４は、放送番組の受信状態の判別の処理の手順を示すフローチャートである。図４のフローチャートにおいてまず、受信信号のデータ状態を判別するための初期設定をおこなう（ステップＳ４０１）。初期設定とは、受信した放送番組の受信状態を判別するための前処理を示す。具体的には、放送番組の受信状態を所定のサンプリング間隔ごとに検出し、あらかじめ設定したサンプリング数におけるＢＥＲを抽出する処理である。ここで、図５を用いてステップＳ４０１の詳細な処理を説明する。
【００４４】
図５は、初期設定の処理の手順を示すフローチャートである。図５のフローチャートにおいてまず、平均値のＢＥＲを検出した回数を数えるカウンタＡと、放送番組の受信状態を検出するサンプリング回数を示すポインタｐＡとをリセットする（ステップＳ５０１）。
【００４５】
つぎに、ポインタｐＡにおける放送番組の受信状態を検出し（ステップＳ５０２）、ＢＥＲは平均値以上か否かを判断する（ステップＳ５０３）。ＢＥＲが平均値以上の場合は（ステップＳ５０３：Ｙｅｓ）、つまり受信状態が悪いと検出されると、カウンタＡに１加算し（ステップＳ５０４）、つぎのサンプリング回数に移るためにポインタｐＡに１加算する（ステップＳ５０５）。ステップＳ５０３においてＢＥＲが平均値未満の場合は（ステップＳ５０３：Ｎｏ）、ステップＳ５０５の処理に移行し、ポインタｐＡに１加算する。
【００４６】
つぎに、ポインタｐＡは所定のサンプリング回数以下か否かを判断する（ステップＳ５０６）。ポインタｐＡが所定のサンプリング回数以下の場合は（ステップＳ５０６：Ｙｅｓ）、受信状態調査中を報知し（ステップＳ５０８）、ステップＳ５０３の処理に移行し、ポインタｐＡが所定のサンプリング回数に達するまで繰り返しおこない、ポインタｐＡが所定のサンプリング回数に達した場合は（ステップＳ５０６：Ｎｏ）、ポインタｐＡをリセットし（ステップＳ５０７）、初期設定の処理を終了する。
【００４７】
図４の説明に戻り、ステップＳ４０１において初期設定が終了すると、つぎにＢＥＲは平均値以上か否かを判断する（ステップＳ４０２）。ＢＥＲが平均値以上である場合は（ステップＳ４０２：Ｙｅｓ）、カウンタＡに１加算し（ステップＳ４０３）、続いて、ポインタｐＡに１加算する（ステップＳ４０４）。ステップＳ４０２においてＢＥＲが平均値未満の場合は（ステップＳ４０２：Ｎｏ）、ステップＳ４０３の処理をおこなわずに、ステップＳ４０４の処理に移行する。
【００４８】
ステップＳ４０４の処理が終わると、つぎにカウンタＡの値は録音可能値か否かを判断する（ステップＳ４０５）。ここで、カウンタＡの値が録音可能値である場合は（ステップＳ４０５：Ｙｅｓ）、録音可能を報知する（ステップＳ４０６）。カウンタＡの値が録音可能値でない場合は（ステップＳ４０５：Ｎｏ）、受信状態が乱れていることを報知する（ステップＳ４０７）。
【００４９】
その後、ポインタｐＡは所定のサンプリング回数以下か否かを判断する（ステップＳ４０８）。ポインタｐＡが所定のサンプリング回数より大きい場合は（ステップＳ４０８：Ｎｏ）、続いて、ポインタｐＡとカウンタＡをリセットし（ステップＳ４０９）、ステップＳ４１０の処理に移行する。
【００５０】
ステップＳ４０８において、ポインタｐＡが所定のサンプリング回数以下の場合は（ステップＳ４０８：Ｙｅｓ）、つぎに終了指示があったか否かを判断する（ステップＳ４１０）。終了指示がなかった場合は（ステップＳ４１０：Ｎｏ）、ステップＳ４０２の処理に戻りステップＳ４１０までの処理を繰り返す。ステップＳ４１０において終了指示があった場合は（ステップＳ４１０：Ｙｅｓ）、一連の処理を終了する。
【００５１】
以上説明したような処理によって受信状態の判断がおこなわれると続いて、放送番組を記録する際の処理について説明する。図６は、放送番組を記録する際の処理の手順を示すフローチャートである。図６のフローチャートにおいてまず、受信した放送番組の受信状態を判別するためのカウンタＢをリセットする（ステップＳ６０１）。
【００５２】
つぎに、受信した放送番組のＢＥＲは平均値以上か否かを判断する（ステップＳ６０２）。ＢＥＲが平均値以上の場合は（ステップＳ６０２：Ｙｅｓ）、カウンタＢに１加算し（ステップＳ６０３）、ステップＳ６０４の処理に移行する。ＢＥＲが平均値未満の場合は（ステップＳ６０２：Ｎｏ）、つぎに記録終了か否かを判断する（ステップＳ６０４）。
【００５３】
つぎに、ステップＳ６０４において、記録終了でない場合は（ステップＳ６０４：Ｎｏ）、ステップＳ６０２の処理に戻り、記録終了になるまでステップＳ６０２〜ステップＳ６０４の処理を繰り返し、ステップＳ６０４において記録終了となった場合は（ステップＳ６０４：Ｙｅｓ）、続いてカウンタＢの値により記録状態を判別する（ステップＳ６０５）。この判別処理によって品質値を決定する。最後に、記録した放送番組の品質値を記録部３０８に記録し（ステップＳ６０６）、一連の処理を終了する。
【００５４】
以上のような処理によって記録した放送番組を再生する際には、記録部３０８から、記録した放送番組と、放送番組と対応した品質値とを読み出し、読み出した品質値を報知する。放送番組の再生は、品質値の報知の後もしくは、品質値の報知と同時におこなう。
【００５５】
以上説明したように、記録再生装置、再生装置、記録再生方法、再生方法、プログラムおよび記録媒体によれば、記録した放送番組の再生画像や再生音声の状態が悪い場合に、報知された受信状態や品質値を参照することで、記録した放送番組に原因があるのか、ディスプレイやスピーカに原因があるのかを容易に判断することができる。
【００５６】
また、本発明の他の実施例として、記録部３０８に受信した放送番組を記録する前に受信状態の判別結果をＧＵＩ部３０９に表示させ、記録の有無を判断させるような構成にしてもよい。このような構成を有することで、記録しても記録状態が悪いため再生に及ばないような放送番組の記録を防ぐことができる。
【００５７】
なお、本実施の形態で説明した記録再生方法および再生方法は、あらかじめ用意されたプログラムをパーソナル・コンピュータやワークステーション等のコンピュータで実行することにより実現することができる。このプログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。またこのプログラムは、インターネット等のネットワークを介して配布することが可能な伝送媒体であってもよい。
【図面の簡単な説明】
【００５８】
【図１】この発明の本実施の形態の記録再生装置の機能的構成を示すブロック図である。
【図２】この発明の本実施の形態の記録再生装置の処理内容を示すフローチャートである。
【図３】この発明の本実施例におけるＡＶ装置のハードウェア構成を示すブロック図である。
【図４】放送番組の受信状態の判別の処理の手順を示すフローチャートである。
【図５】初期設定の処理の手順を示すフローチャートである。
【図６】放送番組を記録する際の処理の手順を示すフローチャートである。
【符号の説明】
【００５９】
１００  記録再生装置
１０１  受信部
１０２  検出部
１０３  判別部
１０４  記録部
１０５  読み出し部
１０６  報知部
１０７  再生部
３００  ＡＶ装置
３０１  アンテナ部
３０２  フロントエンド部
３０３  ＡＤ部
３０４  ＦＥＣ部
３０５  エンコーダ部
３０６  受信状態判別部
３０７  記録システムコントロール部
３０８  記録部
３０９  ＧＵＩ部
【図１】
2007074572.tif 000003
【図２】
2007074572.tif 000004
【図３】
2007074572.tif 000005
【図４】
2007074572.tif 000006
【図５】
2007074572.tif 000007
【図６】
2007074572.tif 000008